(57)【要約】  本発明は、こどもモード処理方法、装置、プログラム、及び記録媒体に関し、インターネット技術分野に属する。前記方法は、第１端末が送信した目標アプリケーションの利用許可機能リスト或は利用不可機能リストを受信するステップと、前記利用許可機能リスト或は前記利用不可機能リストに基づいて、前記目標アプリケーションの利用許可機能を特定するステップと、前記目標アプリケーションのこどもモードにおいて、前記利用許可機能を表示するステップとを含む。本発明を採用すると、こどもモードにおいてアプリケーションの正常な利用には影響を及ぼさない。【選択図】図１
2016527614.tif 000002
【特許請求の範囲】
【請求項１】
第１端末が送信した、目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含むこどもモード処理方法。
【請求項２】
前記目標アプリケーションの表示待ち内容中に予め設定された第１キャラクターが含まれていることが検出された場合、前記表示待ち内容中の第１キャラクターを隠蔽するステップ、
をさらに含むことを特徴とする請求項１に記載のこどもモード処理方法。
【請求項３】
前記目標アプリケーションの表示待ち内容中に予め設定された第１キャラクターが含まれていることが検出された場合、前記表示待ち内容を前記第１端末に送信するステップ、
をさらに含むことを特徴とする請求項１に記載のこどもモード処理方法。
【請求項４】
前記目標アプリケーションにより実行している動作が予め設定された報告条件を満たすことが検出された場合、前記動作の内容を前記第１端末に送信するステップ、
をさらに含むことを特徴とする請求項１に記載のこどもモード処理方法。
【請求項５】
前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含むことを特徴とする請求項４に記載のこどもモード処理方法。
【請求項６】
前記第１端末が送信した、通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含むことを特徴とする請求項１に記載のこどもモード処理方法。
【請求項７】
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含むことを特徴とする請求項１に記載のこどもモード処理方法。
【請求項８】
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含むことを特徴とする請求項１に記載のこどもモード処理方法。
【請求項９】
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含むことを特徴とする請求項１に記載のこどもモード処理方法。
【請求項１０】
予め設定されたトリガーイベントが発生した場合、ローカルの位置情報或は移動ルート情報を前記第１端末に送信するステップを、
さらに含むことを特徴とする請求項１に記載のこどもモード処理方法。
【請求項１１】
第１端末が送信した、目標アプリケーションの利用許可機能リスト或は利用不可機能リストを受信する受信モジュールと、
前記利用許可機能リスト或は前記利用不可機能リストに基づいて、前記目標アプリケーションの利用許可機能を特定する特定モジュールと、
前記目標アプリケーションのこどもモードにおいて、前記利用許可機能を表示する表示モジュールと、
を備えたこどもモード処理装置。
【請求項１２】
前記表示モジュールは、さらに、
前記目標アプリケーションの表示待ち内容中に予め設定された第１キャラクターが含まれていることが検出された場合、前記表示待ち内容中の第１キャラクターを隠蔽する、
ことを特徴とする請求項１１に記載のこどもモード処理装置。
【請求項１３】
前記目標アプリケーションの表示待ち内容中に予め設定された第１キャラクターが含まれていることが検出された場合、前記表示待ち内容を前記第１端末に送信する送信モジュール、
をさらに備えることを特徴とする請求項１１に記載のこどもモード処理装置。
【請求項１４】
前記目標アプリケーションにより実行している動作が予め設定された報告条件を満たすことが検出された場合、前記動作の内容を前記第１端末に送信する送信モジュール、
をさらに備えることを特徴とする請求項１１に記載のこどもモード処理装置。
【請求項１５】
前記送信モジュールは、
前記目標アプリケーションにより予め設定された第１機能を実行していることが検出された場合、前記第１機能の実行内容を前記第１端末に送信する、
ことを特徴とする請求項１４に記載のこどもモード処理装置。
【請求項１６】
阻止モジュール、をさらに備え、
前記阻止モジュールは、
前記第１端末が送信した、通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する、
ことを特徴とする請求項１１に記載のこどもモード処理装置。
【請求項１７】
追加モジュール、をさらに備え、
前記追加モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する、
ことを特徴とする請求項１１に記載のこどもモード処理装置。
【請求項１８】
追加モジュール、をさらに備え、
前記追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する、
ことを特徴とする請求項１１に記載のこどもモード処理装置。
【請求項１９】
実行モジュール、をさらに備え、
前記実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する、
ことを特徴とする請求項１１に記載のこどもモード処理装置。
【請求項２０】
予め設定されたトリガーイベントが発生した場合、ローカルの位置情報或は移動ルート情報を前記第１端末に送信する送信モジュールを、
さらに備えることを特徴とする請求項１１に記載のこどもモード処理装置。
【請求項２１】
プロセッサと、
前記プロセッサが実行可能な命令を記憶するためのメモリと、を備え、
前記プロセッサは、
第１端末が送信した、目標アプリケーションの利用許可機能リスト或は利用不可機能リストを受信し、
前記利用許可機能リスト或は前記利用不可機能リストに基づいて、前記目標アプリケーションの利用許可機能を特定し、
前記目標アプリケーションのこどもモードにおいて、前記利用許可機能を表示する、
こどもモード処理装置。
【発明の詳細な説明】
【技術分野】
【０００１】
本願は、出願番号がＣＮ ２０１４１０２４０５６３.８であって、出願日が２０１４年５月３０日である中国特許出願に基づいて優先権を主張し、当該中国特許出願のすべての内容を援用するようにする。
【０００２】
本発明は、インターネット技術分野に関し、特に、こどもモード処理方法、及び装置に関する。
【背景技術】
【０００３】
無線通信技術の発展に伴い、携帯電話機はますます広く利用されている。多くのこどもが、自身の携帯電話機を有しており、携帯電話機上でアプリケーションを用いて、友達を作ったり、ゲームしたり、ウェブサイトを閲覧したりしている。しかしながら、インターネット上の情報は多様であり、こどもは、情報判別能力と自制能力が欠如しているため、アプリケーションを利用する際に、騙されたり、心身の健全な成長に有益でない情報を得たりするおそれがある。このため、こどものアプリケーション利用をコントロールする必要がある。
【０００４】
従来は、以下の方法によってこどものアプリケーション利用をコントロールする。具体的には、こどもモードを提供する。当該こどもモードにおいては、保護者がパスワードを入力してこどもモードを起動し、こどもモードが起動されると、該当するアプリケーションは起動できなくなる。そして、正しいパスワードを入力した場合にのみ、こどもモードを停止して、該当するプリケーションを起動できる。
【０００５】
発明者は、本発明を実現する過程において、関連技術には少なくとも以下の問題が存在することを発見した。即ち、こどもモードにおいて、該当するアプリケーションの起動を阻止することにより、こどもがコンタクトしてはいけない情報にコンタクトすることを回避できるが、この時に該当するアプリケーションが正常には利用できなくなる。
【発明の概要】
【０００６】
関連技術での問題を解決するために、本発明に係る実施例は、こどもモードにおいてアプリケーションの正常な利用には影響を与えなくするための、こどもモード処理方法、及び装置を提供する。本発明は、以下の通りの技術的ソリューションを含む。
【０００７】
一の態様によると、こどもモードを処理する方法を提供する。この方法は、
第１端末が送信した目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含む。
【０００８】
オプションとして、
前記方法は、
前記目標アプリケーションの表示待ち内容中に予め設定された第１キャラクターが含まれていることが検出された場合、前記表示待ち内容中の第１キャラクターを隠蔽するステップ、
をさらに含む。
【０００９】
オプションとして、
前記方法は、
前記目標アプリケーションの表示待ち内容中に予め設定された第１キャラクターが含まれていることが検出された場合、前記表示待ち内容を前記第１端末に送信するステップ、
をさらに含む。
【００１０】
オプションとして、
前記方法は、
前記目標アプリケーションにより実行している動作が予め設定された報告条件を満たすことが検出された場合、前記動作の内容を前記第１端末に送信するステップ、
をさらに含む。
【００１１】
オプションとして、
前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含む。
【００１２】
オプションとして、
前記方法は、
前記第１端末が送信した通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含む。
【００１３】
オプションとして、
前記方法は、
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含む。
【００１４】
オプションとして、
前記方法は、
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含む。
【００１５】
オプションとして、
前記方法は、
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含む。
【００１６】
オプションとして、
前記方法は、
予め設定されたトリガーイベントが発生した場合、ローカルの位置情報或は移動ルート情報を前記第１端末に送信するステップを、
さらに含む。
【００１７】
他の態様によると、こどもモードを処理する装置を提供する。
【００１８】
この装置は、
第１端末が送信した目標アプリケーションの利用許可機能リスト或は利用不可機能リストを受信する受信モジュールと、
前記利用許可機能リスト或は前記利用不可機能リストに基づいて、前記目標アプリケーションの利用許可機能を特定する特定モジュールと、
前記目標アプリケーションのこどもモードにおいて、前記利用許可機能を表示する表示モジュールと、を備える。
【００１９】
オプションとして、
前記表示モジュールは、さらに、
前記目標アプリケーションの表示待ち内容中に予め設定された第１キャラクターが含まれていることが検出された場合、前記表示待ち内容中の第１キャラクターを隠蔽する。
【００２０】
オプションとして、
当該装置は、
前記目標アプリケーションの表示待ち内容中に予め設定された第１キャラクターが含まれていることが検出された場合、前記表示待ち内容を前記第１端末に送信する送信モジュールを、さらに備える。
【００２１】
オプションとして、
当該装置は、
前記目標アプリケーションにより実行している動作が予め設定された報告条件を満たすことが検出された場合、前記動作の内容を前記第１端末に送信する送信モジュールを、さらに備える。
【００２２】
オプションとして、
前記送信モジュールは、
前記目標アプリケーションにより予め設定された第１機能を実行していることが検出された場合、前記第１機能の実行内容を前記第１端末に送信する。
【００２３】
オプションとして、
当該装置は、阻止モジュールを、さらに備える。
前記阻止モジュールは、
前記第１端末が送信した通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する。
【００２４】
オプションとして、
当該装置は、追加モジュールを、さらに備える。
前記追加モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する。
【００２５】
オプションとして、
当該装置は、追加モジュールを、さらに備える。
前記追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する。
【００２６】
オプションとして、
当該装置は、実行モジュールを、さらに備える。
前記実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する。
【００２７】
オプションとして、
当該装置は、
予め設定されたトリガーイベントが発生した場合、ローカルの位置情報或は移動ルート情報を前記第１端末に送信する送信モジュールを、さらに備える。
【００２８】
更に他の態様によると、こどもモードを処理する装置を提供する。
【００２９】
この装置は、
プロセッサと、
前記プロセッサが実行可能な命令を記憶するためのメモリと、を備え、
前記プロセッサは、
第１端末が送信した目標アプリケーションの利用許可機能リスト或は利用不可機能リストを受信し、
前記利用許可機能リスト或は前記利用不可機能リストに基づいて、前記目標アプリケーションの利用許可機能を特定し、
前記目標アプリケーションのこどもモードにおいて、前記利用許可機能を表示する。
【００３０】
本発明の実施例が提供する有益な効果は以下のとおりである。
【００３１】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００３２】
以上の一般的な記述と以下の詳細な記述は、単なる例示的なものであり、本発明を制限するものではないと、理解するべきである。
【図面の簡単な説明】
【００３３】
ここで説明する本発明の一部を構成する図面は、本発明をさらに明確に理解させるために提供するものであり、本発明を制限するためのものではない。
【図１】図１は、例示的な一実施例に係るこどもモード処理方法を示すフローチャートである。
【図２ａ】図２ａは、例示的な一実施例に係る端末インターフェイス表示を示す模式図である。
【図２ｂ】図２ｂは、例示的な一実施例に係る端末インターフェイス表示を示す模式図である。
【図２ｃ】図２ｃは、例示的な一実施例に係る端末インターフェイス表示を示す模式図である。
【図２ｄ】図２ｄは、例示的な一実施例に係る端末インターフェイス表示を示す模式図である。
【図２ｅ】図２ｅは、例示的な一実施例に係る端末インターフェイス表示を示す模式図である。
【図２ｆ】図２ｆは、例示的な一実施例に係る端末インターフェイス表示を示す模式図である。
【図２ｇ】図２ｇは、例示的な一実施例に係る端末インターフェイス表示を示す模式図である。
【図２ｈ】図２ｈは、例示的な一実施例に係る端末インターフェイス表示を示す模式図である。
【図２ｉ】図２ｉは、例示的な一実施例に係る端末インターフェイス表示を示す模式図である。
【図３】図３は、例示的な一実施例に係るこどもモード処理装置の構成を示す模式図である。
【図４】図４は、例示的な一実施例に係る端末の構成を示す模式図である。
【００３４】
上記図面によって本発明の明確な実施例を例示し、以下にさらに詳しく記述する。これらの図面と文章記述は本発明の旨の範囲を何らの形態によって制限するものではなく、特定の実施例を参照することによって、本技術分野の当業者に本発明の概念を理解させるためのものである。
【発明を実施するための形態】
【００３５】
本発明の目的、技術的ソリューション及び利点をさらに明確にするために、以下、図面と実施形態を参照しながら本発明をさらに詳しく説明する。ここで、本発明の例示的な実施形態、及びその記述は、本発明を説明するためのものであり、本発明を制限するものではない。
【００３６】
本発明に係る実施例は、こどもモード処理方法、及び装置を提供する。以下、図面を参照しながら本発明を詳しく説明する。
【００３７】
実施例１
本発明に係る実施例は、こどもモード処理方法を提供する、図１に示すように、この方法の処理フローは、以下のステップを含む。
【００３８】
ステップ１０１において、第１端末が送信した目標アプリケーションの利用許可機能リスト或は利用不可機能リストを受信する。
【００３９】
ステップ１０２において、利用許可機能リスト或は利用不可機能リストに基づいて、目標アプリケーションの利用許可機能を特定する。
【００４０】
ステップ１０３において、目標アプリケーションのこどもモードにおいて、利用許可機能を表示する。
【００４１】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００４２】
実施例２
本発明に係る実施例は、こどもモード処理方法を提供する。この方法の実行主体は、携帯電話機、タブレットＰＣや、他の移動端末のような端末機器（第２端末とも呼ばれる）であってもよい。第２端末は、こどもが利用する端末であって、以下に言及される第１端末は、保護者が利用する端末であってもよい。本実施例においては、携帯電話機を実行主体とする例を挙げて、技術的ソリューションを詳しく説明する。他の実行主体のケースにおいては、携帯電話機の例と同様であるため、本実施例においては説明を省略する。
【００４３】
以下、具体的な実施形態において、図１に示した処理フローを詳しく説明する。処理フローの内容は以下のとおりである。
【００４４】
ステップ１０１において、第１端末が送信した目標アプリケーションの利用許可機能リスト或は利用不可機能リストを受信する。本実施例の方法は第２端末に適用できる。
【００４５】
ここで、目標アプリケーションは、第２端末にインストールされた、インスタント通信ソフト、ウェブ閲覧ソフト、映像ソフト等のような各種のアプリケーションであってもよい。利用許可機能リストは、目標アプリケーションの利用許可機能が記録されたリストであってもよいし、当該リストには少なくとも一つの許可使用機能が含まれている。利用不可機能リストは、目標アプリケーション中の利用不可機能が記録されたリストであってもよいし、当該リストには少なくとも一つの利用不可機能が含まれている。
【００４６】
実施する際に、第１端末と第２端末の両方に、目標アプリケーションがインストールされていてもよい。目標アプリケーションは、保護者制御機能を提供してもよい。第１端末において、ユーザ（即ち、上記の保護者）により保護者制御機能を起動した後に、第１端末は、目標アプリケーションの機能リストを表示してもよいし、当該機能リストには、インスタント通信機能、連絡先追加機能、グループ参加機能、等のような目標アプリケーションのすべての機能が含まれていてもよい。保護者は、機能リスト中から利用許可機能を選択して利用許可機能リストを形成した後、当該利用許可機能リストを第２端末に送信してもよい。或は、保護者は、機能リスト中から利用不可機能を選択して利用不可機能リストを形成した後、当該利用不可機能リストを第２端末に送信してもよい。
【００４７】
例えば、システムによって提供する機能リストには、インスタント通信機能、連絡先追加機能、グループ参加機能、等の機能が含まれている。第１端末のユーザは、当該機能リスト中からインスタント通信機能、連絡先追加機能を含む利用許可機能を選択する。インスタント通信ソフトと連絡先追加機能によって利用許可機能リストを形成して、第２端末に送信する。
【００４８】
ステップ１０２において、利用許可機能リスト或は利用不可機能リストに基づいて、目標アプリケーションの利用許可機能を特定する。本実施例の方法は無線端末機器に適用できる。
【００４９】
実施する際に、利用許可機能リストについては、第２端末により利用許可機能リスト中の機能を取得して、利用許可機能とし、利用許可機能リスト以外の機能を利用不可機能にする。利用不可機能リストについては、第２端末により目標アプリケーションのすべての機能中から、利用不可機能リスト以外の機能を取得して、利用許可機能としてもよい。
【００５０】
ステップ１０３において、目標アプリケーションのこどもモードにおいて、利用許可機能を表示する。本実施例の方法は無線端末機器に適用できる。
【００５１】
実施する際に、目標アプリケーションにはこどもモードを起動するためのキーが設けられていてもよいし、ユーザ（即ち、上記の保護者）が当該キーをクリックすることによりこどもモードを起動して、その後、モード停止パスワードを設定してもよい。こどもモードを起動した後、目標アプリケーションにおいて利用許可機能の実行キーを表示してもよい。図２ａに示すように、この時、他の機能の実行キーを表示しなくてもよい。当然ながら、保護者の設定に従って、他の機能の実行キーを表示してもよい。
【００５２】
オプションとして、本発明に係る実施例において、さらに、第２端末に表示させる情報中のいくつかのキャラクターを隠蔽してもよい。この処理において、目標アプリケーションの表示待ち内容中に予め設定された第１キャラクターが含まれていることが検出された場合、表示待ち内容中の第１キャラクターを隠蔽してもよい。本実施例の方法は無線端末機器に適用できる。
【００５３】
ここで、第１キャラクターは、いくつかのセンシティブな単語、或は、こどもが見るのに適さない単語、等であってもよい。
【００５４】
実施する際に、目標アプリケーションは、一つの第１キャラクターを設定するためのインターフェイスを提供する。保護者は、当該インターフェイス上においてこどもに対して隠蔽する必要があるキャラクター（即ち、第１キャラクター）を入力し、入力したキャラクターを用いて第１キャラクターリストを形成して、当該第１キャラクターリストを第２端末に送信する。第２端末は、リスト中の第１キャラクターを保存する。第２端末は、表示待ち内容に予め設定された第１キャラクターが含まれていることを検出した場合、表示待ち内容中の第１キャラクターを、特殊表示の効果を付与する、例えば図２ｂに示すように、第１キャラクターを“＊”に置き換えて処理し、第２端末上に表示させる。
【００５５】
オプションとして、本発明に係る実施例において、第２端末に表示させるいくつかのキャラクターを、こどもの保護者に通知してもよい。この処理において、目標アプリケーションの表示待ち内容中に予め設定された第１キャラクターが含まれていることが検出された場合、表示待ち内容を第１端末に送信してもよい。本実施例の方法は無線端末機器に適用できる。
【００５６】
実施する際に、目標アプリケーションは、第１キャラクターを設定するためのインターフェイスを提供する。保護者は、当該インターフェイス上においてこどもに対して隠蔽する必要があるキャラクターを入力して、入力したキャラクターを用いて第１キャラクターリストを形成して、当該第１キャラクターリストを第２端末に送信する。第２端末は、リスト中の第１キャラクターを保存する。第２端末の表示待ち内容中に第１キャラクターリスト中の第１キャラクターが含まれている場合、図２ｃに示すように、第２端末は表示待ち内容を第１端末に送信する。表示しようとするページ全体を第１端末に送信してもよいし、該当するキャラクターが位置する段落、或は、語句全体を第１端末に送信してもよい。
【００５７】
オプションとして、本発明に係る実施例において、こどもがアプリケーションにおいて行ったいくつかの指定された動作を報告してもよい。該当する処理において、目標アプリケーションが実行する動作が予め設定された報告条件を満たすことが検出された場合、動作内容を第１端末に送信してもよい。本実施例の方法は無線端末機器に適用できる。
【００５８】
実施する際に、報告条件は、保護者により第１端末において設定して、第２端末に通知して、当該第２端末により記録してもよい。該当する報告条件は、例えば、指定されたあるアカウントと通信すること、或は、連絡先の追加を動作実行すること、等の多様な条件がある。第２端末においてアプリケーションが実行する動作が予め設定された報告条件を満たす場合、第２端末は、動作内容を第１端末に送信する。図２ｄに示すように、例えば、インスタント通信のメッセージ内容を第１端末に送信するか、友達サークルで共有される内容を第１端末に送信してもよい。
【００５９】
例えば、報告条件が指定されたあるアカウントと通信することである場合、第２端末にログインしたアカウント（即ち、当該こどものアカウント）が当該指定されたアカウントと通信する場合に、第２端末は、該当する通信メッセージの内容を第１端末に送信する。
【００６０】
オプションとして、上記の予め設定された報告条件は、アプリケーション中に予め設定されたある機能を実行することであってもよい。該当する処理において、目標アプリケーションが予め設定された第１機能を実行することが検出された場合、第１機能の実行内容を第１端末に送信する。
【００６１】
実施する際に、第１機能は、保護者により第１端末において設定して、第２端末に通知して、当該第２端末により保存してもよい。第２端末は、目標アプリケーションにより第１機能を実行していることが検出された場合、第１機能の実行内容を第１端末に送信してもよい。例えば、第１機能は、通信機能であり、該当する実行内容は、通信する内容であってもよい。或は、第１機能は、連絡先追加機能であり、該当する実行内容は、連絡先に追加する目標アカウントのアカウント情報であってもよい。
【００６２】
オプションとして、本発明に係る実施例において、さらに、こどもが通信する連絡先を制限してもよい。該当する処理は、以下のとおりである。
【００６３】
ステップ１において、第１端末送信の通信許可アカウントリスト或は通信不可アカウントリストを受信する。本実施例の方法は無線端末機器に適用できる。
【００６４】
実施する際に、保護者制御機能のページには、通信アカウント設定機能のキーが、さらに含まれていてもよい。保護者により当該キーをクリックした後、第１端末をトリガーして、サーバから第２端末のログインアカウント（即ち、こどものアカウント）の連絡先リストを取得するようにしてもよい。当該連絡先リスト中には当該こどもの友達アカウントが記録されている。保護者は、当該連絡先リスト中から通信許可アカウントを選択して通信許可アカウントリストを形成して、第２端末に送信してもよい。或は、保護者は、当該連絡先リスト中から通信不可アカウントを選択して通信不可アカウントリストを形成して、第２端末に送信してもよい。
【００６５】
ステップ２において、通信許可アカウントリスト或は通信不可アカウントリストに基づいて、通信許可アカウントを特定する。
【００６６】
実施する際に、第２端末は、第１端末から通信許可アカウントリスト中のアカウントを取得して、通信許可アカウントとし、通信許可アカウントリスト以外のアカウントを通信不可アカウントにする。或は、第２端末は、通信不可アカウントリスト中のアカウントを取得して、通信不可アカウントリスト以外のアカウントを通信許可アカウントにする。
【００６７】
ステップ３において、ローカルアカウントと通信許可アカウント以外のアカウントとの間の通信を阻止する。
【００６８】
実施する際に、第２端末の連絡先リストに、通信許可アカウントのみ表示してもよい。或は、通信許可アカウントのみと通信できるように設定してもよい。第２端末ユーザが通信許可アカウント以外のアカウントと通信しようとする場合、図２eに示すように、目標アプリケーションはメッセージをポップアップして通信してはいけないことを促してもよい。
【００６９】
オプションとして、本発明に係る実施例において、こどもの友達追加についていくつかの制限条件を設定してもよい。該当する処理は、以下のとおりである。
【００７０】
ステップ１において、連絡先追加命令を受信した場合、連絡先追加命令に対応する目標アカウントのプロパティ情報を取得する。本実施例の方法は無線端末機器に適用できる。
【００７１】
ここで、連絡先追加命令に対応する目標アカウントは、こどもが連絡先に追加しようとするアカウントである。プロパティ情報は、当該目標アカウントの年齢、学校、性別、職業、等の情報であってもよい。
【００７２】
ステップ２において、目標アカウントのプロパティ情報が予め設定された追加条件を満たすと、目標アカウントを連絡先に追加し、目標アカウントのプロパティ情報が予め設定された追加条件を満たさないと、連絡先追加命令を拒否する。本実施例の方法は第２端末に適用できる。
【００７３】
実施する際に、保護者は、第１端末に追加条件を設定してもよい。図２ｆに示すように、当該追加条件を第２端末に通知し、第２端末により保存する。例えば、追加条件は、当該こどもと学校が同一であること、或は、年齢がある範囲内にあること、等であってもよい。これら追加条件がこどもに見られないように設定してもよい。他のユーザにより当該こどものアカウントを連絡先に追加しようと要求し、当該こどもが追加を許可しようとする場合、或は、当該こどもが自発的に他のユーザのアカウントを連絡先に追加しようとする場合、第２端末は、こどもが入力した連絡先追加命令が受信されることになり、追加する目標アカウントのプロパティ情報が当該追加条件を満たすと、目標アカウントを連絡先に追加し、目標アカウントのプロパティ情報が当該追加条件を満たさないと、目標アカウントを連絡先に追加することを拒否する。
【００７４】
オプションとして、本発明に係る実施例において、こどもが友達を追加する際に、保護者により承認してもよい。該当する処理は、以下のとおりである。
【００７５】
ステップ１において、連絡先追加命令を受信した場合、連絡先追加命令に対応する目標アカウントのアカウントＩＤを取得して、アカウントＩＤが付加された連絡先追加要求を第１端末に送信する。本実施例の方法は無線端末機器に適用できる。
【００７６】
実施する際に、他のユーザにより当該こどものアカウントを連絡先に追加しようと要求し、当該こどもが追加を許可しようとする場合、或は、当該こどもが自発的に他のユーザのアカウントを連絡先に追加しようとする場合、第２端末は、こどもが入力した連絡先追加命令が受信されることになり、この時、第２端末は、連絡先追加命令に対応する目標アカウントのアカウントトＩＤを取得して、当該アカウントのＩＤが付加された連絡先追加要求を第１端末に送信してもよい。図２ｇに示すように、要求中には、性別、年齢、学校、等の目標アカウントのアカウント情報が付加されていてもよい。
【００７７】
ステップ２において、第１端末が送信した許可メッセージが受信された場合には、目標アカウントを連絡先に追加し、第１端末が送信した拒否メッセージが受信された場合には、連絡先追加命令を拒否する。
【００７８】
実施する際に、第１端末によりアカウントＩＤが付加された連絡先追加要求が受信された場合、連絡先追加要求のウィンドウを表示してもよい。ウィンドウには、目標アカウントのアカウントＩＤを表示してもよいし、さらに、該当するアカウント情報を表示してもよいし、また、追加許可キーと追加不可キーを表示してもよい。保護者により許可した場合、追加許可キーをクリックすることにより、第１端末をトリガーして許可メッセージを生成して第２端末に送信してもよい。或は、保護者により拒否した場合、追加不可キーをクリックすることにより、第１端末をトリガーして拒否メッセージを生成して第２端末に送信してもよい。
【００７９】
オプションとして、本発明に係る実施例において、利用許可機能を表示できるほか、これら機能以外の他の機能を表示してもよい。そして、保護者によりこどものそれら他の機能の利用を承認してもよい。該当する処理は、以下のとおりである。
【００８０】
ステップ１において、目標アプリケーションの利用許可機能以外の他の機能を表示する。本実施例の方法は無線端末機器に適用できる。
【００８１】
実施する際に、上記のステップ１０２によって目標アプリケーションの利用許可機能を特定した後、さらに、目標アプリケーションの利用許可機能以外の他の機能を特定してもよい。次に、他の機能も表示する。表示する際に、他の機能、及び利用許可機能を実行するためのキーを、それぞれ、異なる表示領域に表示してもよい。或は、他の機能、及び利用許可機能を実行するためのキーを、すべて、その元の位置に表示してもよい。
【００８２】
ステップ２において、他の機能中の第２機能の実行命令が受信された場合、第２機能のＩＤ情報が付加された機能実行要求を第１端末に送信する。
【００８３】
実施する際に、第１端末により第２端末が送信した第２機能の機能実行要求が受信された場合、第１端末は、機能実行要求ウィンドウを表示してもよい。ウィンドウには、目標機能のＩＤ情報を表示してもよいし、また、利用許可キーと利用不可キーを表示してもよい。図２ｈに示すように、保護者により許可した場合、利用許可キーをクリックすることにより、第１端末をトリガーして許可メッセージを生成して、第２端末に送信してもよい。或は、保護者により拒否した場合、利用不可キーをクリックすることにより、第１端末をトリガーして拒否メッセージを生成して、第２端末に送信してもよい。
【００８４】
ステップ３において、第１端末により送信した許可メッセージが受信された場合、第２機能を実行し、第１端末により送信した拒否メッセージが受信された場合、命令の実行を拒否する。
【００８５】
オプションとして、本発明に係る実施例において、こどもの端末は、その位置、ルート、等の情報を保護者の端末に報告してもよい。該当する処理において、予め設定されたトリガーイベントが発生した場合、ローカルの位置情報或は移動ルート情報を第１端末に送信してもよい。本実施例の方法は無線端末機器に適用できる。
【００８６】
実施する際に、トリガーイベントは、保護者により第１端末において設定して、第２端末に通知して、当該第２端末により記録してもよい。或は、アプリケーションに予め設定されていてもよい。該当するトリガーイベントは、予め設定された時間周期に達したこと、予め設定されたあるタイミングに達したこと、等であってもよい。予め設定されたトリガーイベントが発生した場合、第２端末は現在の位置情報を取得して第１端末に送信するか、最近の時間期間内の移動ルート情報を取得して第１端末に送信してもよい。図２ｉに示すように、第１端末は、位置情報或は移動ルート情報が受信された後、地図上にその該当する位置、或は移動ルートを表示してもよい。
【００８７】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００８８】
実施例３
本発明に係る実施例は、同様の技術概念に基づいて、こどもモード処理装置を、さらに提供する。図３に示すように、この装置は、
第１端末が送信した目標アプリケーションの利用許可機能リスト或は利用不可機能リストを受信する受信モジュール３１０と、
前記利用許可機能リスト或は前記利用不可機能リストに基づいて、前記目標アプリケーションの利用許可機能を特定する特定モジュール３２０と、
前記目標アプリケーションのこどもモードにおいて、前記利用許可機能を表示する表示モジュール３３０と、を備える。
【００８９】
オプションとして、前記表示モジュール３３０は、さらに、
前記目標アプリケーションの表示待ち内容中に予め設定された第１キャラクターが含まれていることが検出された場合、前記表示待ち内容中の第１キャラクターを隠蔽する。
【００９０】
オプションとして、当該装置は、
前記目標アプリケーションの表示待ち内容中に予め設定された第１キャラクターが含まれていることが検出された場合、前記表示待ち内容を前記第１端末に送信する送信モジュールを、さらに備える。
【００９１】
オプションとして、当該装置は、
前記目標アプリケーションにより実行している動作が予め設定された報告条件を満たすことが検出された場合、前記動作の内容を前記第１端末に送信する送信モジュールを、さらに備える。
【００９２】
オプションとして、前記送信モジュールは、
前記目標アプリケーションにより予め設定された第１機能を実行していることが検出された場合、前記第１機能の実行内容を前記第１端末に送信する。
【００９３】
オプションとして、当該装置は、阻止モジュールをさらに備える。この阻止モジュールは、
前記第１端末が送信した通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する。
【００９４】
オプションとして、当該装置は、追加モジュールをさらに備える。この阻止モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する。
【００９５】
オプションとして、当該装置は、追加モジュールをさらに備える。この追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する。
【００９６】
オプションとして、当該装置は、実行モジュールをさらに備える。この実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する。
【００９７】
オプションとして、当該装置は、
予め設定されたトリガーイベントが発生した場合、ローカルの位置情報或は移動ルート情報を前記第１端末に送信する送信モジュールを、さらに備える。
【００９８】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００９９】
実施例４
図４は、例示的な一実施例に係るこどもモードを処理するための端末を示すブロック図である。例えば、端末８００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１００】
図４を参照して、端末８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【０１０１】
プロセスアセンブリ８０２は、大略、端末８００の全体の動作を制御するものであり、例えば、表示、電話呼び出し、データ通信、カメラ動作、及び記録動作と関連する動作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１０２】
メモリ８０４は、各種のデータを記憶することにより端末８００の動作を支援するように構成される。これらのデータの例は、端末８００において動作されるいずれかのアプリケーションプログラム又は方法の命令、連絡対象データ、電話帳データ、メッセージ、画像、ビデオ等を含む。メモリ８０４は、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクといった、いずれかの種類の揮発性メモリ、不揮発性メモリ記憶デバイスまたはそれらの組み合わせによって実現されてもよい。
【０１０３】
電源アセンブリ８０６は、端末８００の各種アセンブリに電力を供給する。電源アセンブリ８０６は、電源管理システム、一つ以上の電源、及び端末８００のための電力の生成、管理及び割り当てに関連する他のアセンブリを含んでもよい。
【０１０４】
マルチメディアアセンブリ８０８は、端末８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド動作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０５】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信アセンブリ８１６を介して送信されたりする。上記の実施例において、オーディオアセンブリ８１０は、オーディオ信号を出力するための一つのスピーカーをさらに含む。
【０１０６】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０７】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１０８】
通信アセンブリ８１６は、端末８００と他の機器の間に有線、又は無線通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１０９】
例示的な実施例において、端末８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１０】
例示的な実施例において、さらに、命令を含むコンピュータ読取り可能な非一時的な記録媒体、例えば命令を含むメモリ８０４を提供しており、端末８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１１１】
コンピュータ読取り可能な非一時的な記録媒体は、当該記録媒体中の命令が移動端末のプロセッサによって実行される際に、端末にクロスドメインのデータ取得するための方法を実行させることができる。
【０１１２】
前記方法は、
第１端末が送信した目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含む。
【０１１３】
オプションとして、前記方法は、
前記目標アプリケーションの表示待ち内容中に予め設定された第１キャラクターが含まれていることが検出された場合、前記表示待ち内容中の第１キャラクターを隠蔽するステップ、
をさらに含む。
【０１１４】
オプションとして、前記方法は、
前記目標アプリケーションの表示待ち内容中に予め設定された第１キャラクターが含まれていることが検出された場合、前記表示待ち内容を前記第１端末に送信するステップ、
をさらに含む。
【０１１５】
オプションとして、前記方法は、
前記目標アプリケーションにより実行している動作が予め設定された報告条件を満たすことが検出された場合、前記動作の内容を前記第１端末に送信するステップ、
をさらに含む。
【０１１６】
オプションとして、前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含む。
【０１１７】
オプションとして、前記方法は、
前記第１端末が送信した通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含む。
【０１１８】
オプションとして、前記方法は、
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含む。
【０１１９】
オプションとして、前記方法は、
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含む。
【０１２０】
オプションとして、前記方法は、
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含む。
【０１２１】
オプションとして、前記方法は、
予め設定されたトリガーイベントが発生した場合、ローカルの位置情報或は移動ルート情報を前記第１端末に送信するステップ、
をさらに含む。
【０１２２】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【０１２３】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１２４】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【図１】
2016527614.tif 000003
【図２ａ】
2016527614.tif 000004
【図２ｂ】
2016527614.tif 000005
【図２ｃ】
2016527614.tif 000006
【図２ｄ】
2016527614.tif 000007
【図２ｅ】
2016527614.tif 000008
【図２ｆ】
2016527614.tif 000009
【図２ｇ】
2016527614.tif 000010
【図２ｈ】
2016527614.tif 000011
【図２ｉ】
2016527614.tif 000012
【図３】
2016527614.tif 000013
【図４】
2016527614.tif 000014
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
第１端末が送信した、目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含むこどもモード処理方法。
【請求項２】
前記目標アプリケーションの表示待ち内容中に予め設定された第１キャラクターが含まれていることが検出された場合、前記表示待ち内容中の第１キャラクターを隠蔽するステップ、
をさらに含むことを特徴とする請求項１に記載のこどもモード処理方法。
【請求項３】
前記目標アプリケーションの表示待ち内容中に予め設定された第１キャラクターが含まれていることが検出された場合、前記表示待ち内容を前記第１端末に送信するステップ、
をさらに含むことを特徴とする請求項１に記載のこどもモード処理方法。
【請求項４】
前記目標アプリケーションにより実行している動作が予め設定された報告条件を満たすことが検出された場合、前記動作の内容を前記第１端末に送信するステップ、
をさらに含むことを特徴とする請求項１に記載のこどもモード処理方法。
【請求項５】
前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含むことを特徴とする請求項４に記載のこどもモード処理方法。
【請求項６】
前記第１端末が送信した、通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含むことを特徴とする請求項１に記載のこどもモード処理方法。
【請求項７】
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含むことを特徴とする請求項１に記載のこどもモード処理方法。
【請求項８】
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含むことを特徴とする請求項１に記載のこどもモード処理方法。
【請求項９】
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含むことを特徴とする請求項１に記載のこどもモード処理方法。
【請求項１０】
予め設定されたトリガーイベントが発生した場合、ローカルの位置情報或は移動ルート情報を前記第１端末に送信するステップを、
さらに含むことを特徴とする請求項１に記載のこどもモード処理方法。
【請求項１１】
第１端末が送信した、目標アプリケーションの利用許可機能リスト或は利用不可機能リストを受信する受信モジュールと、
前記利用許可機能リスト或は前記利用不可機能リストに基づいて、前記目標アプリケーションの利用許可機能を特定する特定モジュールと、
前記目標アプリケーションのこどもモードにおいて、前記利用許可機能を表示する表示モジュールと、
を備えたこどもモード処理装置。
【請求項１２】
前記表示モジュールは、さらに、
前記目標アプリケーションの表示待ち内容中に予め設定された第１キャラクターが含まれていることが検出された場合、前記表示待ち内容中の第１キャラクターを隠蔽する、
ことを特徴とする請求項１１に記載のこどもモード処理装置。
【請求項１３】
前記目標アプリケーションの表示待ち内容中に予め設定された第１キャラクターが含まれていることが検出された場合、前記表示待ち内容を前記第１端末に送信する送信モジュール、
をさらに備えることを特徴とする請求項１１に記載のこどもモード処理装置。
【請求項１４】
前記目標アプリケーションにより実行している動作が予め設定された報告条件を満たすことが検出された場合、前記動作の内容を前記第１端末に送信する送信モジュール、
をさらに備えることを特徴とする請求項１１に記載のこどもモード処理装置。
【請求項１５】
前記送信モジュールは、
前記目標アプリケーションにより予め設定された第１機能を実行していることが検出された場合、前記第１機能の実行内容を前記第１端末に送信する、
ことを特徴とする請求項１４に記載のこどもモード処理装置。
【請求項１６】
阻止モジュール、をさらに備え、
前記阻止モジュールは、
前記第１端末が送信した、通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する、
ことを特徴とする請求項１１に記載のこどもモード処理装置。
【請求項１７】
追加モジュール、をさらに備え、
前記追加モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する、
ことを特徴とする請求項１１に記載のこどもモード処理装置。
【請求項１８】
追加モジュール、をさらに備え、
前記追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する、
ことを特徴とする請求項１１に記載のこどもモード処理装置。
【請求項１９】
実行モジュール、をさらに備え、
前記実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する、
ことを特徴とする請求項１１に記載のこどもモード処理装置。
【請求項２０】
予め設定されたトリガーイベントが発生した場合、ローカルの位置情報或は移動ルート情報を前記第１端末に送信する送信モジュールを、
さらに備えることを特徴とする請求項１１に記載のこどもモード処理装置。
【請求項２１】
プロセッサと、
前記プロセッサが実行可能な命令を記憶するためのメモリと、を備え、
前記プロセッサは、
第１端末が送信した、目標アプリケーションの利用許可機能リスト或は利用不可機能リストを受信し、
前記利用許可機能リスト或は前記利用不可機能リストに基づいて、前記目標アプリケーションの利用許可機能を特定し、
前記目標アプリケーションのこどもモードにおいて、前記利用許可機能を表示する、
こどもモード処理装置。
【請求項２２】
プロセッサに実行されることにより、請求項１から請求項１０のいずれか一項に記載のこどもモード処理方法を実現することを特徴とするプログラム。
【請求項２３】
請求項２２に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号がＣＮ ２０１４１０２４０５６３.８であって、出願日が２０１４年５月３０日である中国特許出願に基づいて優先権を主張し、当該中国特許出願のすべての内容を援用するようにする。
【０００２】
本発明は、インターネット技術分野に関し、特に、こどもモード処理方法、装置、プログラム、及び記録媒体に関する。
【背景技術】
【０００３】
無線通信技術の発展に伴い、携帯電話機はますます広く利用されている。多くのこどもが、自身の携帯電話機を有しており、携帯電話機上でアプリケーションを用いて、友達を作ったり、ゲームしたり、ウェブサイトを閲覧したりしている。しかしながら、インターネット上の情報は多様であり、こどもは、情報判別能力と自制能力が欠如しているため、アプリケーションを利用する際に、騙されたり、心身の健全な成長に有益でない情報を得たりするおそれがある。このため、こどものアプリケーション利用をコントロールする必要がある。
【０００４】
従来は、以下の方法によってこどものアプリケーション利用をコントロールする。具体的には、こどもモードを提供する。当該こどもモードにおいては、保護者がパスワードを入力してこどもモードを起動し、こどもモードが起動されると、該当するアプリケーションは起動できなくなる。そして、正しいパスワードを入力した場合にのみ、こどもモードを停止して、該当するプリケーションを起動できる。
【０００５】
発明者は、本発明を実現する過程において、関連技術には少なくとも以下の問題が存在することを発見した。即ち、こどもモードにおいて、該当するアプリケーションの起動を阻止することにより、こどもがコンタクトしてはいけない情報にコンタクトすることを回避できるが、この時に該当するアプリケーションが正常には利用できなくなる。
【発明の概要】
【０００６】
関連技術での問題を解決するために、本発明に係る実施例は、こどもモードにおいてアプリケーションの正常な利用には影響を与えなくするための、こどもモード処理方法、装置、プログラム、及び記録媒体を提供する。本発明は、以下の通りの技術的ソリューションを含む。
【０００７】
一の態様によると、こどもモードを処理する方法を提供する。この方法は、
第１端末が送信した目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含む。
【０００８】
オプションとして、
前記方法は、
前記目標アプリケーションの表示待ち内容中に予め設定された第１キャラクターが含まれていることが検出された場合、前記表示待ち内容中の第１キャラクターを隠蔽するステップ、
をさらに含む。
【０００９】
オプションとして、
前記方法は、
前記目標アプリケーションの表示待ち内容中に予め設定された第１キャラクターが含まれていることが検出された場合、前記表示待ち内容を前記第１端末に送信するステップ、
をさらに含む。
【００１０】
オプションとして、
前記方法は、
前記目標アプリケーションにより実行している動作が予め設定された報告条件を満たすことが検出された場合、前記動作の内容を前記第１端末に送信するステップ、
をさらに含む。
【００１１】
オプションとして、
前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含む。
【００１２】
オプションとして、
前記方法は、
前記第１端末が送信した通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含む。
【００１３】
オプションとして、
前記方法は、
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含む。
【００１４】
オプションとして、
前記方法は、
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含む。
【００１５】
オプションとして、
前記方法は、
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含む。
【００１６】
オプションとして、
前記方法は、
予め設定されたトリガーイベントが発生した場合、ローカルの位置情報或は移動ルート情報を前記第１端末に送信するステップを、
さらに含む。
【００１７】
他の態様によると、こどもモードを処理する装置を提供する。
【００１８】
この装置は、
第１端末が送信した目標アプリケーションの利用許可機能リスト或は利用不可機能リストを受信する受信モジュールと、
前記利用許可機能リスト或は前記利用不可機能リストに基づいて、前記目標アプリケーションの利用許可機能を特定する特定モジュールと、
前記目標アプリケーションのこどもモードにおいて、前記利用許可機能を表示する表示モジュールと、を備える。
【００１９】
オプションとして、
前記表示モジュールは、さらに、
前記目標アプリケーションの表示待ち内容中に予め設定された第１キャラクターが含まれていることが検出された場合、前記表示待ち内容中の第１キャラクターを隠蔽する。
【００２０】
オプションとして、
当該装置は、
前記目標アプリケーションの表示待ち内容中に予め設定された第１キャラクターが含まれていることが検出された場合、前記表示待ち内容を前記第１端末に送信する送信モジュールを、さらに備える。
【００２１】
オプションとして、
当該装置は、
前記目標アプリケーションにより実行している動作が予め設定された報告条件を満たすことが検出された場合、前記動作の内容を前記第１端末に送信する送信モジュールを、さらに備える。
【００２２】
オプションとして、
前記送信モジュールは、
前記目標アプリケーションにより予め設定された第１機能を実行していることが検出された場合、前記第１機能の実行内容を前記第１端末に送信する。
【００２３】
オプションとして、
当該装置は、阻止モジュールを、さらに備える。
前記阻止モジュールは、
前記第１端末が送信した通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する。
【００２４】
オプションとして、
当該装置は、追加モジュールを、さらに備える。
前記追加モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する。
【００２５】
オプションとして、
当該装置は、追加モジュールを、さらに備える。
前記追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する。
【００２６】
オプションとして、
当該装置は、実行モジュールを、さらに備える。
前記実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する。
【００２７】
オプションとして、
当該装置は、
予め設定されたトリガーイベントが発生した場合、ローカルの位置情報或は移動ルート情報を前記第１端末に送信する送信モジュールを、さらに備える。
【００２８】
更に他の態様によると、こどもモードを処理する装置を提供する。
【００２９】
この装置は、
プロセッサと、
前記プロセッサが実行可能な命令を記憶するためのメモリと、を備え、
前記プロセッサは、
第１端末が送信した目標アプリケーションの利用許可機能リスト或は利用不可機能リストを受信し、
前記利用許可機能リスト或は前記利用不可機能リストに基づいて、前記目標アプリケーションの利用許可機能を特定し、
前記目標アプリケーションのこどもモードにおいて、前記利用許可機能を表示する。
【００３０】
更に他の態様によると、プロセッサに実行されることにより、上記のこどもモードを処理方法を実現するプログラムを提供する。
【００３１】
更に他の態様によると、上記プログラムが記録された記録媒体を提供する。
【００３２】
本発明の実施例が提供する有益な効果は以下のとおりである。
【００３３】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００３４】
以上の一般的な記述と以下の詳細な記述は、単なる例示的なものであり、本発明を制限するものではないと、理解するべきである。
【図面の簡単な説明】
【００３５】
ここで説明する本発明の一部を構成する図面は、本発明をさらに明確に理解させるために提供するものであり、本発明を制限するためのものではない。
【図１】図１は、例示的な一実施例に係るこどもモード処理方法を示すフローチャートである。
【図２ａ】図２ａは、例示的な一実施例に係る端末インターフェイス表示を示す模式図である。
【図２ｂ】図２ｂは、例示的な一実施例に係る端末インターフェイス表示を示す模式図である。
【図２ｃ】図２ｃは、例示的な一実施例に係る端末インターフェイス表示を示す模式図である。
【図２ｄ】図２ｄは、例示的な一実施例に係る端末インターフェイス表示を示す模式図である。
【図２ｅ】図２ｅは、例示的な一実施例に係る端末インターフェイス表示を示す模式図である。
【図２ｆ】図２ｆは、例示的な一実施例に係る端末インターフェイス表示を示す模式図である。
【図２ｇ】図２ｇは、例示的な一実施例に係る端末インターフェイス表示を示す模式図である。
【図２ｈ】図２ｈは、例示的な一実施例に係る端末インターフェイス表示を示す模式図である。
【図２ｉ】図２ｉは、例示的な一実施例に係る端末インターフェイス表示を示す模式図である。
【図３】図３は、例示的な一実施例に係るこどもモード処理装置の構成を示す模式図である。
【図４】図４は、例示的な一実施例に係る端末の構成を示す模式図である。
【００３６】
上記図面によって本発明の明確な実施例を例示し、以下にさらに詳しく記述する。これらの図面と文章記述は本発明の旨の範囲を何らの形態によって制限するものではなく、特定の実施例を参照することによって、本技術分野の当業者に本発明の概念を理解させるためのものである。
【発明を実施するための形態】
【００３７】
本発明の目的、技術的ソリューション及び利点をさらに明確にするために、以下、図面と実施形態を参照しながら本発明をさらに詳しく説明する。ここで、本発明の例示的な実施形態、及びその記述は、本発明を説明するためのものであり、本発明を制限するものではない。
【００３８】
本発明に係る実施例は、こどもモード処理方法、及び装置を提供する。以下、図面を参照しながら本発明を詳しく説明する。
【００３９】
実施例１
本発明に係る実施例は、こどもモード処理方法を提供する、図１に示すように、この方法の処理フローは、以下のステップを含む。
【００４０】
ステップ１０１において、第１端末が送信した目標アプリケーションの利用許可機能リスト或は利用不可機能リストを受信する。
【００４１】
ステップ１０２において、利用許可機能リスト或は利用不可機能リストに基づいて、目標アプリケーションの利用許可機能を特定する。
【００４２】
ステップ１０３において、目標アプリケーションのこどもモードにおいて、利用許可機能を表示する。
【００４３】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００４４】
実施例２
本発明に係る実施例は、こどもモード処理方法を提供する。この方法の実行主体は、携帯電話機、タブレットＰＣや、他の移動端末のような端末機器（第２端末とも呼ばれる）であってもよい。第２端末は、こどもが利用する端末であって、以下に言及される第１端末は、保護者が利用する端末であってもよい。本実施例においては、携帯電話機を実行主体とする例を挙げて、技術的ソリューションを詳しく説明する。他の実行主体のケースにおいては、携帯電話機の例と同様であるため、本実施例においては説明を省略する。
【００４５】
以下、具体的な実施形態において、図１に示した処理フローを詳しく説明する。処理フローの内容は以下のとおりである。
【００４６】
ステップ１０１において、第１端末が送信した目標アプリケーションの利用許可機能リスト或は利用不可機能リストを受信する。本実施例の方法は第２端末に適用できる。
【００４７】
ここで、目標アプリケーションは、第２端末にインストールされた、インスタント通信ソフト、ウェブ閲覧ソフト、映像ソフト等のような各種のアプリケーションであってもよい。利用許可機能リストは、目標アプリケーションの利用許可機能が記録されたリストであってもよいし、当該リストには少なくとも一つの許可使用機能が含まれている。利用不可機能リストは、目標アプリケーション中の利用不可機能が記録されたリストであってもよいし、当該リストには少なくとも一つの利用不可機能が含まれている。
【００４８】
実施する際に、第１端末と第２端末の両方に、目標アプリケーションがインストールされていてもよい。目標アプリケーションは、保護者制御機能を提供してもよい。第１端末において、ユーザ（即ち、上記の保護者）により保護者制御機能を起動した後に、第１端末は、目標アプリケーションの機能リストを表示してもよいし、当該機能リストには、インスタント通信機能、連絡先追加機能、グループ参加機能、等のような目標アプリケーションのすべての機能が含まれていてもよい。保護者は、機能リスト中から利用許可機能を選択して利用許可機能リストを形成した後、当該利用許可機能リストを第２端末に送信してもよい。或は、保護者は、機能リスト中から利用不可機能を選択して利用不可機能リストを形成した後、当該利用不可機能リストを第２端末に送信してもよい。
【００４９】
例えば、システムによって提供する機能リストには、インスタント通信機能、連絡先追加機能、グループ参加機能、等の機能が含まれている。第１端末のユーザは、当該機能リスト中からインスタント通信機能、連絡先追加機能を含む利用許可機能を選択する。インスタント通信ソフトと連絡先追加機能によって利用許可機能リストを形成して、第２端末に送信する。
【００５０】
ステップ１０２において、利用許可機能リスト或は利用不可機能リストに基づいて、目標アプリケーションの利用許可機能を特定する。本実施例の方法は無線端末機器に適用できる。
【００５１】
実施する際に、利用許可機能リストについては、第２端末により利用許可機能リスト中の機能を取得して、利用許可機能とし、利用許可機能リスト以外の機能を利用不可機能にする。利用不可機能リストについては、第２端末により目標アプリケーションのすべての機能中から、利用不可機能リスト以外の機能を取得して、利用許可機能としてもよい。
【００５２】
ステップ１０３において、目標アプリケーションのこどもモードにおいて、利用許可機能を表示する。本実施例の方法は無線端末機器に適用できる。
【００５３】
実施する際に、目標アプリケーションにはこどもモードを起動するためのキーが設けられていてもよいし、ユーザ（即ち、上記の保護者）が当該キーをクリックすることによりこどもモードを起動して、その後、モード停止パスワードを設定してもよい。こどもモードを起動した後、目標アプリケーションにおいて利用許可機能の実行キーを表示してもよい。図２ａに示すように、この時、他の機能の実行キーを表示しなくてもよい。当然ながら、保護者の設定に従って、他の機能の実行キーを表示してもよい。
【００５４】
オプションとして、本発明に係る実施例において、さらに、第２端末に表示させる情報中のいくつかのキャラクターを隠蔽してもよい。この処理において、目標アプリケーションの表示待ち内容中に予め設定された第１キャラクターが含まれていることが検出された場合、表示待ち内容中の第１キャラクターを隠蔽してもよい。本実施例の方法は無線端末機器に適用できる。
【００５５】
ここで、第１キャラクターは、いくつかのセンシティブな単語、或は、こどもが見るのに適さない単語、等であってもよい。
【００５６】
実施する際に、目標アプリケーションは、一つの第１キャラクターを設定するためのインターフェイスを提供する。保護者は、当該インターフェイス上においてこどもに対して隠蔽する必要があるキャラクター（即ち、第１キャラクター）を入力し、入力したキャラクターを用いて第１キャラクターリストを形成して、当該第１キャラクターリストを第２端末に送信する。第２端末は、リスト中の第１キャラクターを保存する。第２端末は、表示待ち内容に予め設定された第１キャラクターが含まれていることを検出した場合、表示待ち内容中の第１キャラクターを、特殊表示の効果を付与する、例えば図２ｂに示すように、第１キャラクターを"＊"に置き換えて処理し、第２端末上に表示させる。
【００５７】
オプションとして、本発明に係る実施例において、第２端末に表示させるいくつかのキャラクターを、こどもの保護者に通知してもよい。この処理において、目標アプリケーションの表示待ち内容中に予め設定された第１キャラクターが含まれていることが検出された場合、表示待ち内容を第１端末に送信してもよい。本実施例の方法は無線端末機器に適用できる。
【００５８】
実施する際に、目標アプリケーションは、第１キャラクターを設定するためのインターフェイスを提供する。保護者は、当該インターフェイス上においてこどもに対して隠蔽する必要があるキャラクターを入力して、入力したキャラクターを用いて第１キャラクターリストを形成して、当該第１キャラクターリストを第２端末に送信する。第２端末は、リスト中の第１キャラクターを保存する。第２端末の表示待ち内容中に第１キャラクターリスト中の第１キャラクターが含まれている場合、図２ｃに示すように、第２端末は表示待ち内容を第１端末に送信する。表示しようとするページ全体を第１端末に送信してもよいし、該当するキャラクターが位置する段落、或は、語句全体を第１端末に送信してもよい。
【００５９】
オプションとして、本発明に係る実施例において、こどもがアプリケーションにおいて行ったいくつかの指定された動作を報告してもよい。該当する処理において、目標アプリケーションが実行する動作が予め設定された報告条件を満たすことが検出された場合、動作内容を第１端末に送信してもよい。本実施例の方法は無線端末機器に適用できる。
【００６０】
実施する際に、報告条件は、保護者により第１端末において設定して、第２端末に通知して、当該第２端末により記録してもよい。該当する報告条件は、例えば、指定されたあるアカウントと通信すること、或は、連絡先の追加を動作実行すること、等の多様な条件がある。第２端末においてアプリケーションが実行する動作が予め設定された報告条件を満たす場合、第２端末は、動作内容を第１端末に送信する。図２ｄに示すように、例えば、インスタント通信のメッセージ内容を第１端末に送信するか、友達サークルで共有される内容を第１端末に送信してもよい。
【００６１】
例えば、報告条件が指定されたあるアカウントと通信することである場合、第２端末にログインしたアカウント（即ち、当該こどものアカウント）が当該指定されたアカウントと通信する場合に、第２端末は、該当する通信メッセージの内容を第１端末に送信する。
【００６２】
オプションとして、上記の予め設定された報告条件は、アプリケーション中に予め設定されたある機能を実行することであってもよい。該当する処理において、目標アプリケーションが予め設定された第１機能を実行することが検出された場合、第１機能の実行内容を第１端末に送信する。
【００６３】
実施する際に、第１機能は、保護者により第１端末において設定して、第２端末に通知して、当該第２端末により保存してもよい。第２端末は、目標アプリケーションにより第１機能を実行していることが検出された場合、第１機能の実行内容を第１端末に送信してもよい。例えば、第１機能は、通信機能であり、該当する実行内容は、通信する内容であってもよい。或は、第１機能は、連絡先追加機能であり、該当する実行内容は、連絡先に追加する目標アカウントのアカウント情報であってもよい。
【００６４】
オプションとして、本発明に係る実施例において、さらに、こどもが通信する連絡先を制限してもよい。該当する処理は、以下のとおりである。
【００６５】
ステップ１において、第１端末送信の通信許可アカウントリスト或は通信不可アカウントリストを受信する。本実施例の方法は無線端末機器に適用できる。
【００６６】
実施する際に、保護者制御機能のページには、通信アカウント設定機能のキーが、さらに含まれていてもよい。保護者により当該キーをクリックした後、第１端末をトリガーして、サーバから第２端末のログインアカウント（即ち、こどものアカウント）の連絡先リストを取得するようにしてもよい。当該連絡先リスト中には当該こどもの友達アカウントが記録されている。保護者は、当該連絡先リスト中から通信許可アカウントを選択して通信許可アカウントリストを形成して、第２端末に送信してもよい。或は、保護者は、当該連絡先リスト中から通信不可アカウントを選択して通信不可アカウントリストを形成して、第２端末に送信してもよい。
【００６７】
ステップ２において、通信許可アカウントリスト或は通信不可アカウントリストに基づいて、通信許可アカウントを特定する。
【００６８】
実施する際に、第２端末は、第１端末から通信許可アカウントリスト中のアカウントを取得して、通信許可アカウントとし、通信許可アカウントリスト以外のアカウントを通信不可アカウントにする。或は、第２端末は、通信不可アカウントリスト中のアカウントを取得して、通信不可アカウントリスト以外のアカウントを通信許可アカウントにする。
【００６９】
ステップ３において、ローカルアカウントと通信許可アカウント以外のアカウントとの間の通信を阻止する。
【００７０】
実施する際に、第２端末の連絡先リストに、通信許可アカウントのみ表示してもよい。或は、通信許可アカウントのみと通信できるように設定してもよい。第２端末ユーザが通信許可アカウント以外のアカウントと通信しようとする場合、図２eに示すように、目標アプリケーションはメッセージをポップアップして通信してはいけないことを促してもよい。
【００７１】
オプションとして、本発明に係る実施例において、こどもの友達追加についていくつかの制限条件を設定してもよい。該当する処理は、以下のとおりである。
【００７２】
ステップ１において、連絡先追加命令を受信した場合、連絡先追加命令に対応する目標アカウントのプロパティ情報を取得する。本実施例の方法は無線端末機器に適用できる。
【００７３】
ここで、連絡先追加命令に対応する目標アカウントは、こどもが連絡先に追加しようとするアカウントである。プロパティ情報は、当該目標アカウントの年齢、学校、性別、職業、等の情報であってもよい。
【００７４】
ステップ２において、目標アカウントのプロパティ情報が予め設定された追加条件を満たすと、目標アカウントを連絡先に追加し、目標アカウントのプロパティ情報が予め設定された追加条件を満たさないと、連絡先追加命令を拒否する。本実施例の方法は第２端末に適用できる。
【００７５】
実施する際に、保護者は、第１端末に追加条件を設定してもよい。図２ｆに示すように、当該追加条件を第２端末に通知し、第２端末により保存する。例えば、追加条件は、当該こどもと学校が同一であること、或は、年齢がある範囲内にあること、等であってもよい。これら追加条件がこどもに見られないように設定してもよい。他のユーザにより当該こどものアカウントを連絡先に追加しようと要求し、当該こどもが追加を許可しようとする場合、或は、当該こどもが自発的に他のユーザのアカウントを連絡先に追加しようとする場合、第２端末は、こどもが入力した連絡先追加命令が受信されることになり、追加する目標アカウントのプロパティ情報が当該追加条件を満たすと、目標アカウントを連絡先に追加し、目標アカウントのプロパティ情報が当該追加条件を満たさないと、目標アカウントを連絡先に追加することを拒否する。
【００７６】
オプションとして、本発明に係る実施例において、こどもが友達を追加する際に、保護者により承認してもよい。該当する処理は、以下のとおりである。
【００７７】
ステップ１において、連絡先追加命令を受信した場合、連絡先追加命令に対応する目標アカウントのアカウントＩＤを取得して、アカウントＩＤが付加された連絡先追加要求を第１端末に送信する。本実施例の方法は無線端末機器に適用できる。
【００７８】
実施する際に、他のユーザにより当該こどものアカウントを連絡先に追加しようと要求し、当該こどもが追加を許可しようとする場合、或は、当該こどもが自発的に他のユーザのアカウントを連絡先に追加しようとする場合、第２端末は、こどもが入力した連絡先追加命令が受信されることになり、この時、第２端末は、連絡先追加命令に対応する目標アカウントのアカウントトＩＤを取得して、当該アカウントのＩＤが付加された連絡先追加要求を第１端末に送信してもよい。図２ｇに示すように、要求中には、性別、年齢、学校、等の目標アカウントのアカウント情報が付加されていてもよい。
【００７９】
ステップ２において、第１端末が送信した許可メッセージが受信された場合には、目標アカウントを連絡先に追加し、第１端末が送信した拒否メッセージが受信された場合には、連絡先追加命令を拒否する。
【００８０】
実施する際に、第１端末によりアカウントＩＤが付加された連絡先追加要求が受信された場合、連絡先追加要求のウィンドウを表示してもよい。ウィンドウには、目標アカウントのアカウントＩＤを表示してもよいし、さらに、該当するアカウント情報を表示してもよいし、また、追加許可キーと追加不可キーを表示してもよい。保護者により許可した場合、追加許可キーをクリックすることにより、第１端末をトリガーして許可メッセージを生成して第２端末に送信してもよい。或は、保護者により拒否した場合、追加不可キーをクリックすることにより、第１端末をトリガーして拒否メッセージを生成して第２端末に送信してもよい。
【００８１】
オプションとして、本発明に係る実施例において、利用許可機能を表示できるほか、これら機能以外の他の機能を表示してもよい。そして、保護者によりこどものそれら他の機能の利用を承認してもよい。該当する処理は、以下のとおりである。
【００８２】
ステップ１において、目標アプリケーションの利用許可機能以外の他の機能を表示する。本実施例の方法は無線端末機器に適用できる。
【００８３】
実施する際に、上記のステップ１０２によって目標アプリケーションの利用許可機能を特定した後、さらに、目標アプリケーションの利用許可機能以外の他の機能を特定してもよい。次に、他の機能も表示する。表示する際に、他の機能、及び利用許可機能を実行するためのキーを、それぞれ、異なる表示領域に表示してもよい。或は、他の機能、及び利用許可機能を実行するためのキーを、すべて、その元の位置に表示してもよい。
【００８４】
ステップ２において、他の機能中の第２機能の実行命令が受信された場合、第２機能のＩＤ情報が付加された機能実行要求を第１端末に送信する。
【００８５】
実施する際に、第１端末により第２端末が送信した第２機能の機能実行要求が受信された場合、第１端末は、機能実行要求ウィンドウを表示してもよい。ウィンドウには、目標機能のＩＤ情報を表示してもよいし、また、利用許可キーと利用不可キーを表示してもよい。図２ｈに示すように、保護者により許可した場合、利用許可キーをクリックすることにより、第１端末をトリガーして許可メッセージを生成して、第２端末に送信してもよい。或は、保護者により拒否した場合、利用不可キーをクリックすることにより、第１端末をトリガーして拒否メッセージを生成して、第２端末に送信してもよい。
【００８６】
ステップ３において、第１端末により送信した許可メッセージが受信された場合、第２機能を実行し、第１端末により送信した拒否メッセージが受信された場合、命令の実行を拒否する。
【００８７】
オプションとして、本発明に係る実施例において、こどもの端末は、その位置、ルート、等の情報を保護者の端末に報告してもよい。該当する処理において、予め設定されたトリガーイベントが発生した場合、ローカルの位置情報或は移動ルート情報を第１端末に送信してもよい。本実施例の方法は無線端末機器に適用できる。
【００８８】
実施する際に、トリガーイベントは、保護者により第１端末において設定して、第２端末に通知して、当該第２端末により記録してもよい。或は、アプリケーションに予め設定されていてもよい。該当するトリガーイベントは、予め設定された時間周期に達したこと、予め設定されたあるタイミングに達したこと、等であってもよい。予め設定されたトリガーイベントが発生した場合、第２端末は現在の位置情報を取得して第１端末に送信するか、最近の時間期間内の移動ルート情報を取得して第１端末に送信してもよい。図２ｉに示すように、第１端末は、位置情報或は移動ルート情報が受信された後、地図上にその該当する位置、或は移動ルートを表示してもよい。
【００８９】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【００９０】
実施例３
本発明に係る実施例は、同様の技術概念に基づいて、こどもモード処理装置を、さらに提供する。図３に示すように、この装置は、
第１端末が送信した目標アプリケーションの利用許可機能リスト或は利用不可機能リストを受信する受信モジュール３１０と、
前記利用許可機能リスト或は前記利用不可機能リストに基づいて、前記目標アプリケーションの利用許可機能を特定する特定モジュール３２０と、
前記目標アプリケーションのこどもモードにおいて、前記利用許可機能を表示する表示モジュール３３０と、を備える。
【００９１】
オプションとして、前記表示モジュール３３０は、さらに、
前記目標アプリケーションの表示待ち内容中に予め設定された第１キャラクターが含まれていることが検出された場合、前記表示待ち内容中の第１キャラクターを隠蔽する。
【００９２】
オプションとして、当該装置は、
前記目標アプリケーションの表示待ち内容中に予め設定された第１キャラクターが含まれていることが検出された場合、前記表示待ち内容を前記第１端末に送信する送信モジュールを、さらに備える。
【００９３】
オプションとして、当該装置は、
前記目標アプリケーションにより実行している動作が予め設定された報告条件を満たすことが検出された場合、前記動作の内容を前記第１端末に送信する送信モジュールを、さらに備える。
【００９４】
オプションとして、前記送信モジュールは、
前記目標アプリケーションにより予め設定された第１機能を実行していることが検出された場合、前記第１機能の実行内容を前記第１端末に送信する。
【００９５】
オプションとして、当該装置は、阻止モジュールをさらに備える。この阻止モジュールは、
前記第１端末が送信した通信許可アカウントリスト或は通信不可アカウントリストを受信し、
前記通信許可アカウントリスト或は前記通信不可アカウントリストに基づいて、通信許可アカウントを特定し、
ローカルアカウントと、前記通信許可アカウント以外のアカウントとの間の通信を阻止する。
【００９６】
オプションとして、当該装置は、追加モジュールをさらに備える。この阻止モジュールは、
連絡先追加命令を受信した場合、前記連絡先追加命令に対応する目標アカウントのプロパティ情報を取得し、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否する。
【００９７】
オプションとして、当該装置は、追加モジュールをさらに備える。この追加モジュールは、
連絡先追加命令を受信した場合、前記連絡先追加命令に対応する目標アカウントのアカウントＩＤを取得し、前記アカウントＩＤが付加された連絡先追加要求を前記第１端末に送信し、
前記第１端末が送信した許可メッセージが受信された場合には、前記目標アカウントを連絡先として追加し、前記第１端末が送信した拒否メッセージが受信された場合には、前記連絡先追加命令を拒否する。
【００９８】
オプションとして、当該装置は、実行モジュールをさらに備える。この実行モジュールは、
前記目標アプリケーションの利用許可機能以外の他の機能を表示し、
前記他の機能中の第２機能を実行させるための命令を受信した場合、前記第２機能のＩＤ情報が付加された機能実行要求を前記第１端末に送信し、
前記第１端末が送信した許可メッセージが受信された場合には、前記第２機能を実行し、前記第１端末が送信した拒否メッセージが受信された場合には、前記実行命令を拒否する。
【００９９】
オプションとして、当該装置は、
予め設定されたトリガーイベントが発生した場合、ローカルの位置情報或は移動ルート情報を前記第１端末に送信する送信モジュールを、さらに備える。
【０１００】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【０１０１】
実施例４
図４は、例示的な一実施例に係るこどもモードを処理するための端末を示すブロック図である。例えば、端末８００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１０２】
図４を参照して、端末８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【０１０３】
プロセスアセンブリ８０２は、大略、端末８００の全体の動作を制御するものであり、例えば、表示、電話呼び出し、データ通信、カメラ動作、及び記録動作と関連する動作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【０１０４】
メモリ８０４は、各種のデータを記憶することにより端末８００の動作を支援するように構成される。これらのデータの例は、端末８００において動作されるいずれかのアプリケーションプログラム又は方法の命令、連絡対象データ、電話帳データ、メッセージ、画像、ビデオ等を含む。メモリ８０４は、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクといった、いずれかの種類の揮発性メモリ、不揮発性メモリ記憶デバイスまたはそれらの組み合わせによって実現されてもよい。
【０１０５】
電源アセンブリ８０６は、端末８００の各種アセンブリに電力を供給する。電源アセンブリ８０６は、電源管理システム、一つ以上の電源、及び端末８００のための電力の生成、管理及び割り当てに関連する他のアセンブリを含んでもよい。
【０１０６】
マルチメディアアセンブリ８０８は、端末８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド動作に係る継続時間及び圧力も検出できる。上記の実施例において、マルチメディアアセンブリ８０８は、一つのフロントカメラ、及び／又はリアカメラを含む。端末８００が、例えば撮影モード、或はビデオモード等の動作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０７】
オーディオアセンブリ８１０は、オーディオ信号を入出力するように構成されてもよい。例えば、オーディオアセンブリ８１０は、一つのマイク（ＭＩＣ）を含み、端末８００が、例えば呼出しモード、記録モード、及び音声認識モード等の動作モードにある場合、マイクは外部のオーディオ信号を受信することができる。受信されたオーディオ信号は、さらにメモリ８０４に記憶されたり、通信アセンブリ８１６を介して送信されたりする。上記の実施例において、オーディオアセンブリ８１０は、オーディオ信号を出力するための一つのスピーカーをさらに含む。
【０１０８】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０９】
センサアセンブリ８１４は、端末８００に各方面の状態に対する評価を提供するための一つ以上のセンサを含む。例えば、センサアセンブリ８１４は、端末８００のＯＮ／ＯＦＦ状態、端末８００のディスプレイとキーパッドのようなアセンブリの相対的な位置決めを検出できる。また、例えば、センサアセンブリ８１４は、端末８００、或は端末８００の一つのアセンブリの位置変更、ユーザと端末８００とが接触しているか否か、端末８００の方位、又は加速／減速、端末８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ図像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１１０】
通信アセンブリ８１６は、端末８００と他の機器の間に有線、又は無線通信を提供する。端末８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１１１】
例示的な実施例において、端末８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１１２】
例示的な実施例において、さらに、命令を含むコンピュータ読取り可能な非一時的な記録媒体、例えば命令を含むメモリ８０４を提供しており、端末８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【０１１３】
コンピュータ読取り可能な非一時的な記録媒体は、当該記録媒体中の命令が移動端末のプロセッサによって実行される際に、端末にクロスドメインのデータ取得するための方法を実行させることができる。
【０１１４】
前記方法は、
第１端末が送信した目標アプリケーションの利用許可機能リスト或は利用不可機能リストを受信するステップと、
前記利用許可機能リスト或は前記利用不可機能リストに基づいて、前記目標アプリケーションの利用許可機能を特定するステップと、
前記目標アプリケーションのこどもモードにおいて、前記利用許可機能を表示するステップと、
を含む。
【０１１５】
オプションとして、前記方法は、
前記目標アプリケーションの表示待ち内容中に予め設定された第１キャラクターが含まれていることが検出された場合、前記表示待ち内容中の第１キャラクターを隠蔽するステップ、
をさらに含む。
【０１１６】
オプションとして、前記方法は、
前記目標アプリケーションの表示待ち内容中に予め設定された第１キャラクターが含まれていることが検出された場合、前記表示待ち内容を前記第１端末に送信するステップ、
をさらに含む。
【０１１７】
オプションとして、前記方法は、
前記目標アプリケーションにより実行している動作が予め設定された報告条件を満たすことが検出された場合、前記動作の内容を前記第１端末に送信するステップ、
をさらに含む。
【０１１８】
オプションとして、前記目標アプリケーションにより実行している動作が予め設定された報告条件を満たすことが検出された場合、前記動作の内容を前記第１端末に送信するステップは、
前記目標アプリケーションにより予め設定された第１機能を実行していることが検出された場合、前記第１機能の実行内容を前記第１端末に送信するステップ、
を含む。
【０１１９】
オプションとして、前記方法は、
前記第１端末が送信した通信許可アカウントリスト或は通信不可アカウントリストを受信するステップと、
前記通信許可アカウントリスト或は前記通信不可アカウントリストに基づいて、通信許可アカウントを特定するステップと、
ローカルアカウントと、前記通信許可アカウント以外のアカウントとの間の通信を阻止するステップと、
をさらに含む。
【０１２０】
オプションとして、前記方法は、
連絡先追加命令を受信した場合、前記連絡先追加命令に対応する目標アカウントのプロパティ情報を取得するステップと、
前記目標アカウントのプロパティ情報が予め設定された追加条件を満たすと、前記目標アカウントを連絡先として追加し、前記目標アカウントのプロパティ情報が予め設定された追加条件を満たさないと、前記連絡先追加命令を拒否するステップと、
をさらに含む。
【０１２１】
オプションとして、前記方法は、
連絡先追加命令を受信した場合、前記連絡先追加命令に対応する目標アカウントのアカウントＩＤを取得し、前記アカウントＩＤが付加された連絡先追加要求を前記第１端末に送信するステップと、
前記第１端末が送信した許可メッセージが受信された場合には、前記目標アカウントを連絡先として追加し、前記第１端末が送信した拒否メッセージが受信された場合には、前記連絡先追加命令を拒否するステップと、
をさらに含む。
【０１２２】
オプションとして、前記方法は、
前記目標アプリケーションの利用許可機能以外の他の機能を表示するステップと、
前記他の機能中の第２機能を実行させるための命令を受信した場合、前記第２機能のＩＤ情報が付加された機能実行要求を前記第１端末に送信するステップと、
前記第１端末が送信した許可メッセージが受信された場合には、前記第２機能を実行し、前記第１端末が送信した拒否メッセージが受信された場合には、前記実行命令を拒否するステップと、
をさらに含む。
【０１２３】
オプションとして、前記方法は、
予め設定されたトリガーイベントが発生した場合、ローカルの位置情報或は移動ルート情報を前記第１端末に送信するステップ、
をさらに含む。
【０１２４】
本発明に係る実施例によると、第１端末が送信した目標アプリケーションの利用許可機能リスト或は利用不可機能リストを受信して、利用許可機能リスト或は利用不可機能リストに基づいて、目標アプリケーションの利用許可機能を特定し、目標アプリケーションのこどもモードにおいて、利用許可機能を表示する。このような処理方法によって、こどもモードにおいてアプリケーションの正常な利用には影響を及ぼさない。
【０１２５】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１２６】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【国際調査報告】
2016527614.tif 000015
2016527614.tif 000016
2016527614.tif 000017
2016527614.tif 000018